(57)【特許請求の範囲】
【請求項１】
壁面から既設サッシを取り外した後のハツリ部に、新規のサッシを取付ける際に用いられる開口部改装用額縁であって、
上枠、下枠、左右の側枠とで構成されるサッシ枠の外側に配置される横ベース材、左右の縦ベース材、水切部材と、
前記横ベース材及び前記左右の縦ベース材に係合されて、前記上枠及び前記側枠と外壁面との間のハツリ部を覆い隠す横ベース材カバー及び縦ベース材カバーと、を有し、
前記横ベース材は、上面長手方向に止水突条を具備するとともに、両端部に水抜き部を具備し、
前記左右の縦ベース材を前記水抜き部と前記水切部材の間に設置し、
前記横ベース材の上面に入り込んだ水を、前記水抜き部から、前期縦ベース材と前記縦ベース材カバーとからなる縦額縁部材の内部、または、該縦額縁部材と対向する側枠との間に形成される空間を通水路として下部の前記水切部材へと排水するようにした、
開口部改装用額縁。
【請求項２】
前記横ベース材及び前記縦ベース材を固定具により前記サッシ枠外側の縦方向の柱に固定することにより、前記横ベース材と前記縦ベース材を同一面に取付ける、
ことを特徴とする、請求項１記載の開口部改装用額縁。
【発明の詳細な説明】
【０００１】
【発明の属する技術分野】
本発明は、建物の開口部に設けられた既設サッシのリフォームに関し、特に、排水性能を向上させた新しいサッシとの交換に関するものである。
【０００２】
【従来の技術】
建物の開口部の取付け枠材として、気密性、遮音性、断熱性等が良いことから、アルミ、合成樹脂または各素材を組み合わせたサッシが多く使用されている。しかしながら、建物も建てられてから永年経つにしたがって、壁面の亀裂や汚れが目立つようになってくる。この亀裂部分から雨水が躯体側に侵入し、その結果、建物内部で腐蝕が始まり建物の寿命を縮める恐れがある。このため、亀裂部分の補修や再塗装と云った作業が行われるが、これらの作業と同時に既設のサッシを取り外して、より気密性、遮音性、断熱性等の高い新しいサッシに交換して取付けることがあった。
【０００３】
このように既設のサッシに代えて、建物の既存の開口部に新しいサッシを取付けるときには、外観上新たに取付けたサッシと建物躯体との取付部を隠蔽すると共に、新たに取付けたサッシから建物躯体側に雨水等が侵入しないようにする必要がある。そして従来、建物の既存のサッシを取り外して新しく取付けたサッシでは、躯体に固定した上枠、下枠、左右の縦枠とから構成された枠材と壁との間にシール材を充填して止水すると共に、更に、上枠及び縦枠に取付けた額縁材と外壁面との間をバッカ及びシール材で止水し、この二重のシール材により躯体側への水の侵入を防いでいる。
【０００４】
【発明が解決しようとする課題】
しかしながら、上枠の上面に入り込んだ水は、二重のシール材により躯体側への水の侵入防止が図られているが、上枠の上面には水が何時までも滞留したままであるので、シール材の不完全な施工、あるいはシール材の劣化によるひび割れが生じた際には、このシール材のひび割れ部から躯体内部側に水が侵入する恐れがあった。また、既設サッシを取り外すため既設サッシの取付片までの壁及び外壁面等の壁材を取り除いて開口部の回りに所要幅でハツリ部が形成されているので、新たなサッシを取付けたのち、このハツリ部にモルタルによる補修をし、その上を塗装して仕上げをする必要があった。
【０００５】
そこで、本発明は上述した課題によりなされたもので、既設サッシを取り外した跡のハツリ部に、新規のサッシを取付ける際に用いる開口部改装用額縁において、上枠、下枠、左右の側枠とで構成されるサッシ枠と共にその外側に取付けられる横ベース材、水切部材、左右の縦ベース材を該ハツリ部に、前記横ベース材及び左右の縦ベース材に係合されて上枠や側枠と外壁面との間のハツリ部をベース材カバーで覆い隠すことにより、ハツリ部をモルタルによる補修及び塗装と云った外壁の仕上げ作業を不要とする。
【０００６】
また、左右の縦ベース材の上端に取付けられ横ベース材カバーと共に横額縁部材を構成する横ベース材の上面長手方向に止水突条を形成すると共にその両端部に水抜き部を形成することにより、横ベース材の上面に入り込んだ水を横ベース材の両端部に形成された水抜き部から、縦ベース材と縦ベース材カバーとからなる縦額縁部材の内部、または内側側面を通水路として下部の水切部材へと排水するようにした開口部改装用額縁を提供することを目的とするものである。
【０００７】
【課題を解決するための手段】
上記の目的を達成するため、本発明の請求項１に記載の発明は、
壁面から既設サッシを取り外した後のハツリ部に、新規のサッシを取付ける際に用いられる開口部改装用額縁であって、
上枠、下枠、左右の側枠とで構成されるサッシ枠の外側に配置される横ベース材、左右の縦ベース材、水切部材と、
前記横ベース材及び前記左右の縦ベース材に係合されて、前記上枠及び前記側枠と外壁面との間のハツリ部を覆い隠す横ベース材カバー及び縦ベース材カバーと、を有し、
前記横ベース材は、上面長手方向に止水突条を具備するとともに、両端部に水抜き部を具備し、
前記左右の縦ベース材を前記水抜き部と前記水切部材の間に設置し、
前記横ベース材の上面に入り込んだ水を、前記水抜き部から、前期縦ベース材と前記縦ベース材カバーとからなる縦額縁部材の内部、または、該縦額縁部材と対向する側枠との間に形成される空間を通水路として下部の前記水切部材へと排水するようにした、
開口部改装用額縁とするものである。
また、請求項２に記載の発明は、前記横ベース材及び前記縦ベース材を固定具により前記サッシ枠外側の縦方向の柱に固定することにより、前記横ベース材と前記縦ベース材を同一面に取付ける、
ことを特徴とする、請求項１記載の開口部改装用額縁とするものである。
【０００８】
【発明の実施の形態】
以下、本発明の改装サッシの実施の態様を図面の図１〜図９によって説明する。図１に示す本発明の改装サッシの取付けについて説明すると、図１は、本発明の改装サッシの実施の態様を示す縦断面図で、既設のサッシをハツッて取り外した跡に新たなサッシの上枠３３と下枠３４を取付け、該上枠３３と外壁面との間のハツリ部３０を覆い隠す横ベース材カバー３６を横ベース材３５と共に取付け、また、該下枠と外壁面との間のハツリ部３０を覆い隠す水切部材３８を取付けたものである。
【０００９】
建物の壁２０に設けられた開口部に取付けられていた既設のサッシを取り外すために、既設のサッシを取付けていた建物の壁２０をハツリ作業によって既設サッシの取付片までの壁２０の壁材を取り除いて開口部の回りに所要幅でハツリ部３０を形成する。そして、既設のサッシを取り除いた後、上枠３３と下枠３４および二つの側枠４２を固定具３２によって建物の躯体の開口部の外側のハツリ部３０の躯体１６に仮止めする。
【００１０】
この開口部の下部でハツリ部３０に固定具３２によって仮止めされた下枠３４の下の隙間部に水切部材３８の上片である水切部材の立上り片５７を挟み込み、下枠３４と共に水切部材の立上り片５７とをハツリ部３０の躯体１６に固定具３２によって取付ける。また、この開口部に取付けられた上枠３３の上側に沿って横ベース材３５をハツリ部３０の躯体１６に固定具３２１によって取付ける。
【００１１】
そして、この建物躯体の開口部の外側のハツリ部３０の躯体１０に取付けられた上枠３３の上側に横ベース材３５を固定具３２１によって取付け、この横ベース材３５には横ベース材カバー３６が弾性係合して取付けられ、また、横ベース材３５の上面には、図６に図示されているように止水壁となる止水突条６４が横ベース材３５の長手方向に形成されている。横ベース材３５に取付けられた横ベース材カバー３６の上端と壁２との接合部には、二次シール（乾式）とシーリング材とで構成されるシール材３７が設けられて一次・二次の止水構造を形成している。また、開口部の下部に設けられた水切部材３８の下側と壁２との接合部には、シール材３７を設けて止水構造を形成している。
【００１２】
次に、図２は、本発明の改装サッシの実施の態様を示す横断面図で、前述した既設のサッシをハツッて取り外した跡に新たなサッシの上枠３３の取付けと同様にして、開口部の左右側に側枠４２、４２を取付け、該側枠４２と外壁面との間のハツリ部３０を覆い隠す縦ベース材カバー４１を縦ベース材４０と共に取付けたものである。
【００１３】
建物の壁２０に設けられた開口部に取付けられていた既設のサッシを取り外すために、既設のサッシを取付けていた建物の壁２０をハッリ作業によって既設サッシの取付片までの壁２０の壁材を取り除いて開口部の回りに所要幅でハツリ部３０を形成する。そして、既設のサッシを取り除いた後、新たに取付ける側枠４２を固定具３２によって建物躯体の開口部の外側のハツリ部３０の躯体１０に取付ける。
【００１４】
そして、この建物躯体の開口部の外側のハツリ部３０の躯体１０に取付けられた側枠４２の外側に縦ベース材４０を固定具３２１によって取付け、この縦ベース材４０に縦ベース材カバー４１を係合して取付ける。縦ベース材４０に取付けられた縦ベース材カバー４１の側端と壁２との接合部には、二次シール（乾式）とシーリング材とで構成されるシール材３７が設けられて一次・二次の止水構造を形成し、躯体１０と壁２０との間にもシール材３７が設けられて止水構造を形成する。なお、符号４３は、前記上枠３３の上側に設けられた横ベース材３５の両端部に形成された水抜き部で、該水抜き部は、横ベース材３５の両端部に形成された切欠き又は孔である。図３は、別形状の横ベース材カバーを使用した本発明の改装サッシの別実施の態様を示す横断面図である。
【００１５】
図４は、本発明の改装サッシで使用する縦ベース材カバーの横断面を示す図で、符号４１は、建物躯体の開口部の外側のハツリ部３０の躯体１０に取付けられた縦ベース材４０に弾性係合により係合される縦ベース材カバーである。該縦ベース材カバー４１は、一端縁にシール押え片４７が形成されており、シール押え片４７、縦ベース材４０と弾性係合により係合される係合凹部４５を有する一対の係合脚片４４、４４が形成されている。図５は、本発明の改装サッシで使用する別形状の横ベース材カバーの横断面を示す図で、横ベース材カバー３６表面よりベース材カバーの両端縁を少し壁側に屈曲させたものである。
【００１６】
図６は、本発明の改装サッシで使用する横ベース材の横断面を示す図で、符号３５は、建物躯体の開口部の上方のハツリ部３０の躯体１０に取付けられる横ベース材で、横ベース材３５は、中空部を有する四角形の筒柱状体で、背面側には取付ける建物の躯体１０との密着性を増すための突条が形成されており、横ベース材の上面６３の後方で躯体寄りには止水壁となる止水突条６４が横ベース材３５の長手方向に形成されている。また、四角形の筒柱状体の横ベース材３５の上下面には、それぞれ水抜き部４３が形成されている。更に、四角形の筒柱状体の横ベース材３５の上下面は、前面側に突出して一対の係合脚片６５、６５が形成され、これら係合脚片６５、６５には、それぞれ係合凸部６６、６６が形成されている。
【００１７】
そして、この係合脚片６５の係合凸部６６には、横ベース材カバー３６の係合脚片４８に形成された係合凹部４９と弾性係合されるようになっている。また、横ベース材３５の下方側の係合脚片４８にはシール材６７が取付けられており、上枠３３と当接して止水構造を構成している。この弾性係合によって係合された横ベース材３５と横ベース材カバー３６とで横額縁部材が構成される。
【００１８】
図７は、水切りサイドピースの斜視図で、水切部材３８の両端部に設置され、縦ベース材４０の底部を設置する水切りサイドピース５２である。この水切りサイドピース５２は、水切部材３８の傾斜角度に対応した底面を有し、水切りサイドピース５２の上面５３を水平に保つようにしている。また、水切りサイドピース５２の上面５３には、排水溝５４が形成されている。なお、水切りサイドピース５２の上面５３に形成された係合突片５５は、必ずしも図５に示す形状に限定されず、また、係合突片５５が形成されず水切りサイドピース５２の上面５３には、フラットで排水溝５４を形成されている場合もある。
【００１９】
図８は、本発明の改装サッシで使用する各部材の組立て状態を示す組立分解図である。水切部材３８は、建物の躯体１０に下枠３４と共に固定具３２で取付けられる水切部材の立上り片５７と前端に水切部材の前垂片５６を有している。そして、水切部材３８の左右両端には、水切りサイドピース５２、５２が互いの排水溝５４を対向させて設置されている。
【００２０】
水切部材３８の端部に設置された水切りサイドピース５２の上面に設けられた係合突片５５に底部が設置される縦ベース材４０は、中空部５８を有する四角形の筒柱状体で、背面側には取付ける建物の躯体１０との密着性を増すための突条が形成されており、また、四角形の筒柱状体の縦ベース材４０の両側面は、前面側に突出して一対の係合脚片５９、５９が形成され、これら係合脚片５９、５９には、それぞれ係合凸部６０、６０が形成されている。
【００２１】
そして、この係合脚片５９の係合凸部６０には、縦ベース材カバー４１の係合脚片４４に形成された係合凹部４５と弾性係合されるようになっている。また、左右に設置される縦ベース材４０の対向側の係合脚片５９にはシール材６１が取付けられており、側枠４２と当接して止水構造を構成している。この弾性係合によって係合された縦ベース材４０と縦ベース材カバー４１とで縦額縁部材が構成される。
【００２２】
図９は、本発明の改装サッシで使用する左右の縦ベース材、横ベース材及び水切部材を建物の躯体への取付けを示す概略模式正面図である。符号１０１は躯体である柱で、符号１０２は前記柱１０１、１０１間に架設されたまぐさである。左右の柱１０１、１０１にはそれぞれ縦ベース材４０、４０が、また、上方のまぐさ１０２には横ベース材３５が、固定具３２１によって取付けられ、また、下方のまぐさ１０２には水切部材３８が設置されている。左右の柱１０１、１０１に取付けられた縦ベース材４０、４０の上端には、上方のまぐさ１０２に取付けられた横ベース材３５の両端部に形成されている水抜き部４３の端縁が、前記縦ベース材４０の上端に位置するように載置されて取付けられている。
【００２３】
次に、図面の図１〜９に示す発明の改装サッシの壁面への取付け及び本発明の改装サッシの排水機能について説明する。先ず、建物の壁面の既設のサッシを取り外すためにハツリ作業によって所要幅に形成されたハツリ部３０の壁面に敷設した防湿気密シートの上に新たに取付ける上枠３３と下枠３４および二つの側枠４２を固定具３２によって建物の躯体の開口部のハツリ部３０に仮止めする。
【００２４】
この仮止めされた下枠３４の下の隙間部から水切部材３８の上片である水切部材の立上り片５７を入れ込みながら、下枠３４と共に水切部材の立上り片５７とをハツリ部３０の躯体１６に固定具３２によって取付ける。そして、この水切部材３８の両端部の上面に、互いの排水溝５４、５４を対向させて予め取付けられている水切りサイドピース５２、５２の上面５３に形成された係合突片５５、５５に縦ベース材４０、４０の底部を設置する。
【００２５】
縦ベース材４０は、各水切りサイドピース５２の上面５３に形成された係合突片５５に係合される中空部５８を有する四角形の筒柱状体で、かつ、背面側に取付ける建物の躯体１０との密着性を増すための突条が、また、四角形の筒柱状体の縦ベース材４０の両側面には、それぞれ係合凸部６０を有する一対の係合脚片５９、５９が突出して形成された縦ベース材４０の底部が設置され、固定具３２１で前記ハツリ部３０に取付けられる。そして、縦ベース材４０の側枠４２側の係合脚片５９にはシール材６１が設けられており、側枠４２と当接して止水構造を構成している。
【００２６】
そして、横ベース材３５は、中空部を有する四角形の筒柱状体で、かつ、背面側に取付ける建物の躯体１０との密着性を増すための突条が形成され、横ベース材の上面６３の後方寄りには止水壁となる止水突条６４が横ベース材３５の長手方向に形成されており、また、両端部の上下面にはそれぞれ水抜き部４３が形成されていると共に、該上下面は、それぞれ係合凹部６５を有する一対の係合脚片６５、６５が前面側に突出して形成されている。横ベース材３５の両端部に形成された前記水抜き部４３は、前記縦ベース材４０の中空部５８の上端に位置するように載置されて取付けられている。また、横ベース材３５の上枠３３側の係合脚片６５にはシール材６７が設けられており、上枠３３と当接して止水構造を構成している。
【００２７】
このように、建物の壁面に所要幅で形成されたハツリ部３０に、上枠３３、側枠４２と共に取付けられた横ベース材３５と縦ベース材４０とに、それぞれ横ベース材カバー３６と縦ベース材カバー４１を取付けるには、横ベース材３５に形成された一対の係合凸部６６を有する係合脚片６５、６５に、横ベース材カバー３６に形成された係合凹部４９を有する一対の係合脚片４８、４８を押し当て、また、縦ベース材４０に形成された一対の係合凸部６０を有する係合脚片５９、５９に、縦ベース材カバー４１に形成された係合凹部４５を有する一対の係合脚片４４、４４を押し当てる。
【００２８】
すると、それぞれ一対の係合凸部と一対の係合凹部とは弾性係合により係合され、横ベース材３５に横ベース材カバー３６が、また、縦ベース材４０に縦ベース材カバー４１が、それぞれ取付けられる。これら横、縦のベース材３５、４０に取付けられた横、縦のベース材カバー３６、４１は、上枠３３や側枠４２と外壁面との間のハッリ部３０を覆い隠している。そして、横ベース部材３５及び縦ベース材４０に係合して取付けられた横ベース材カバー３６及び縦ベース材カバー４１の一端に、それぞれシール材受け部５０とシール押え片４７とが設けられている。
【００２９】
横ベース材カバー３６の上端のシール材受け部５０の先端は、壁２０に当接しており、この当接部にはバックアップ材とシーリング材とで構成されるシール材３７が設けられて止水構造を構成している。また、縦ベース材カバー４１の一側端のシール押え片４７の先端は、外壁面３に当接しており、この当接部にはバックアップ材とシーリング材とで構成されるシール材３７が設けられて止水構造を構成している。
【００３０】
次に、このようにサッシの上枠３３、下枠３４及び左右の側枠４２、４２と共に、壁面２に形成されたハツリ部３０に取付けられた左右の中空部５８を有する四角形の筒柱状体の縦ベース材４０、４０とこの左右の縦ベース材４０、４０の上端で前記中空部５８に横ベース材３５の両端部に形成された水抜き部４３の端が位置するようにして載置・取付けられた横ベース材３５と左右の縦ベース材４０、４０と水切部材３８の端部に載置された水切りサイドピース５２とからなる改装サッシの排水機能について図１及び図９により説明する。
【００３１】
壁２０に降りかかる雨水は壁２０の表面を伝いながら、横ベース材カバー３６と壁２０との接合部（シーリング部）に流れてくるが、この接合部は、横ベース材カバー３６のシール材受け部５０と壁２０とに二次シール（乾式）とシーリング材とで構成されるシール材３７で一次・二次の止水構造を形成しており、壁２０の表面を伝って流れてきた雨水は、通常はここで止水される。
【００３２】
しかしながら、この一次・二次の止水構造であるシール材３７で止水されなかった雨水は、躯体１０と壁２０との間に設けられた二次止水構造である防湿気密シート等によるシール材で止水され、躯体１０内部に入り込むことができずに、防湿気密シート等によるシール材の表面を伝って上枠３３の上側に取付けられた横ベース材の上面６３に流れ込む。しかし、横ベース材の上面６３の後方で躯体寄りには止水壁となる止水突条６４が横ベース材３５の長手方向に形成されており、流れ込んだ雨水は、この止水突条６４によって躯体１６側に入り込むのを阻止され、横ベース材の上面６３上を端部側へ流れ出す。
【００３３】
そして、横ベース材の上面６３の端部側へと流れ出した雨水は、横ベース材３５の端部に形成された水抜き部４３から流れ落ち、該水抜き部４３の端が位置するように取付けられた縦額縁部材を構成する縦ベース材４０の中空部５８内に流れ込み、該中空部５８を通って縦ベース材４０の下端に配置された水切りサイドピース５２の上面５３に落ち、そして、水切りサイドピースの上面５３に形成された排水溝５４を経て、前方に傾斜した水切部材３８の上面に流れ、水切部材の前垂片５６から下方の壁２の外側に排水される（図８の黒線参照）。また、該水抜き部４３の端が縦額縁部材を構成する縦ベース材４０の側枠に対向する側面に位置する場合には、該側面を通って水切りサイドピース５２の上面５３に落ち、水切部材の前垂片５６から下方の壁２０の外側に排水される。また、該水抜き部４３の端が縦額縁部材を構成する縦ベース材４０と縦ベース材カバー４１との間に位置する場合には、縦ベース材４０と縦ベース材カバー４１間に形成される空間部を通水路として水切りサイドピース５２の上面５３に落ち、水切部材の前垂片５６から下方の壁２０の外側に排水される。
【００３４】
なお、壁面から既設のサッシを取り外した後のハツリ部３０は、横ベース材３５の取付け箇所であるまぐさ１０２の屋外面と縦ベース材４０の取付け箇所である柱１０１の屋外面とが必ずしも面一となっていない場合がある。しかしながら、新規に取付けるサッシは、それらの屋外面に対して面状のサッシの取付片で取付けられるので、例え、横ベース材３５の取付け箇所であるまぐさ１０２の屋外面と縦ベース材４０の取付け箇所である柱１０１の屋外面とが必ずしも面一となっていなくとも追従することができる。
【００３５】
しかし、額縁部材は縦ベース材４０と横ベース材３５とが枠組みされておらず、所定の見込み寸法をもった形状の屋内面が当接するので、まぐさ１０２の屋外面が柱１０１の屋外面よりも室内側によっている場合に、横ベース材３５が柱１０１、１０１間の内々寸法よりも短ければ、縦ベース材４０の内外方向への取付け位置と揃わないし、また、横ベース材３５が柱１０１、１０１間の内々寸法よりも長くても、柱１０１の部分で固定されていなければ、中央部がへこんで撓んだ状態で取付けられてしまい、端部において縦ベース材４０よりも屋外側にずれてしまう。そこで、横ベース材３５をまぐさ１０２だけでなく、縦ベース材４０が取付けられる柱１０１の屋外面までの長さに設定してそこで固定具３２１で固定したので、まぐさ１０２の屋外面が柱１０１の屋外面と面一になくても、横ベース材３５は縦ベース材４０と内外方向でほぼ同じ位置に取付けられる。その結果、横額縁材からの排水が縦額縁材または縦額縁材とサッシの側枠間に形成される通水路を経て内外方向の所定の位置に流すことができる。
【００３６】
このように、本発明の改装サッシは、建物の壁面に所要幅で形成されたハツリ部に、サッシ枠である上枠と側枠及び下枠と共に取付けられた横ベース材と縦ベース材及び水切部材を取付け、ベース材に形成した係合凸部を有する一対の係合脚片と、ベース材カバーに形成した係合凹部を有する一対の係合脚片とを弾性係合による係合で簡単且つ確実に取付けることができ、各ベース材カバーの外壁面と当接する端部には、それぞれシール材受け部および二次シール押え片を設けることにより、外壁面とベース材カバーの当接部に一次・二次の止水構造を構成できる。
【００３７】
また、各ベース材カバーの端部を外壁面に止水構造をもって当接させることにより、既設サッシを取り外すため既設サッシの取付片までの壁及び外壁面等をハツり、新たなサッシを取付けたのちに、このハツリ部にモルタルによる補修をし、その上を塗装して仕上げをする必要があったが、このハツリ部をベース材カバーで覆い隠すことができ、モルタルで補修する必要がない。
【００３８】
また、外壁面から内部に入り込んだ雨水も、サッシ枠である上枠の上部に取り付けた横ベース材の上面の躯体寄りに形成した止水壁となる止水突条を横ベース材の長手方向に形成することにより、例えサッシ枠である上枠の上部に取り付けた横ベース材の上面に雨水が流れ込んでも、この止水突条が、止水構造となって躯体側に入り込むのを阻止することができ、横ベース材の上面から端部側へ雨水を誘導し、横ベース材端部の水抜き部から縦ベース材の中空部ないし内側に導き、縦ベース材の下端部から水切部材の上面−水切部材の前垂片を経て下方の外壁面の外側に排水することができる。
【００３９】
【発明の効果】
以上説明したように、本発明の壁面から既設サッシを取り外した跡のハツリ部に、新規のサッシを取付ける際に用いられる開口部改装用額縁において、上枠、下枠、左右の側枠とで構成されるサッシ枠と共にその外側に横ベース材、水切部材、左右の縦ベース材を該ハツリ部に取付け、前記横ベース材及び左右の縦ベース材に弾性係合されて上枠や側枠と外壁面との間のハツリ部を覆い隠す前記ベース材と共に額縁部材を構成するベース材カバーを有し、側枠と共に取付けられる縦ベース材は、下枠と共に取付けられる水切部材の上面に設置され、左右の縦ベース材の上端に取付けられる横ベース材の上面長手方向には、止水突条が形成されると共にその両端部には水抜き部が形成され、横ベース材の上面に入り込んだ水を横ベース材の両端部に形成された水抜き部から、縦ベース材と縦ベース材カバーとからなる縦額縁部材の内部、または該縦額縁部材とサッシの側枠間に形成される通水路として下部の水切部材へと排水するようにしたので、額縁部材を構成するベース材にベース材カバーを簡単且つ確実に取付けることができ、横ベース材カバー及び縦ベース材カバーの外壁面と当接する端部には、それぞれシール材受け部又は二次シール押え片を設けることにより、外壁面とベース材カバーの当接部に一次・二次の止水構造を構成できる、
【００４０】
また、横ベース材カバー及び縦ベース材カバーの端部を外壁面に止水構造をもって当接させることにより、既設サッシを取り外すため既設サッシの取付片までの壁及び外壁面等をハツり、新たなサッシを取付けたのちに、このハツリ部にモルタルによる補修をし、その上を塗装して仕上げをしていたが、このハツリ部をベース材カバーで覆い隠すことができるので、モルタルで補修する必要がない、
【００４１】
また、外壁面から内部に入り込んだ雨水も、サッシ枠である上枠の上部に取り付けた横ベース材の上面の躯体寄りに形成した止水壁となる止水突条を横ベース材の長手方向に形成することにより、例えサッシ枠である上枠の上部に取り付けた横ベース材の上面に雨水が流れ込んでも、この止水突条が、止水構造となって躯体側に入り込むのを阻止することができ、横ベース材の上面から端部側へ雨水を誘導し、横ベース材端部の水抜き部から縦ベース材と縦ベース材カバーとからなる縦額縁部材の内部、または該縦額縁材とサッシの側枠間に形成される通水路から水切部材を経て下方の外壁面の外側に排水することができる、
云う効果を奏する。
【図面の簡単な説明】
【図１】本発明の改装サッシの実施の態様を示す縦断面図、
【図２】本発明の改装サッシの実施の態様を示す横断面図、
【図３】別形状の横ベース材カバーを使用した本発明の改装サッシの別実施の態様を示す横断面図、
【図４】本発明の改装サッシで使用する縦ベース材カバーの横断面を示す図、
【図５】本発明の改装サッシで使用する別形状の横ベース材カバーの横断面を示す図、
【図６】本発明の改装サッシで使用する横ベース材の横断面を示す図、
【図７】水切りサイドピースの斜視図、
【図８】本発明の改装サッシで使用する各部材の組立て状態を示す組立分解図、
【図９】本発明の改装サッシで使用する左右の縦ベース材、横ベース材及び水切部材を建物の躯体への取付けを示す概略模式正面図。
【符号の説明】
１０  躯体、  ２０  壁、  ３０  ハツリ部、  ３３  上枠、  ３４  下枠、
３５  横ベース材、  ３６  横ベース材カバー、  ３７  シール材、
３８  水切部材、  ４０  縦ベース材、  ４１  縦ベース材カバー、
４２  側枠、  ４３  水抜き部、  ４４  係合脚片、  ４５  係合凹部、
４６  押え片、  ４７  シール押え片、  ４８  係合脚片、  ４９  係合凹部、
５０  シール材受け部、  ５１  水切り片、  ５２  水切りサイドピース、
５３  上面、  ５４  排水溝、  ５５  係合突片、  ５６  水切部材の前垂片、
５７  水切部材の立上り片、  ５８  中空部、  ５９  係合脚片、
６０  係合凸部、  ６１  シール材、  ６２  縦ベース材の内方側面、
６３  横ベース材の上面、  ６４  止水突条、  ６５  係合脚片、
６６  係合凸部、  ６７  シール材、  １０１  柱、  １０２  まぐさ。
【図１】
0004588254.tif 000002
【図２】
0004588254.tif 000003
【図３】
0004588254.tif 000004
【図４】
0004588254.tif 000005
【図５】
0004588254.tif 000006
【図６】
0004588254.tif 000007
【図７】
0004588254.tif 000008
【図８】
0004588254.tif 000009
【図９】
0004588254.tif 000010